(57)【要約】本発明は、印刷用移しシリンダ（Ｋｏｍｏｒｉの印刷機であることが好ましいが、そうである必要はない）の単純かつ安価で洗浄不要の一体カバーであり、これはシリンダ・ベース・カバーに永久的に取り付けた可撓性ジャケット・カバーを備える。本発明は、湿す溶液、洗浄及びクリーニングが時間の経過とともに破損を引き起こすＴ−Ｙ用紙及び非粘着フィルムに対して利点を提供し、湿し溶液は本発明にとっては有益である。というのは、これが可撓性ジャケット・カバー内に保持され、インクの蓄積及びマーキングを防止するのに役立つからである。可撓性ジャケット・カバーはシリンダ・ベース・カバーに対して動作可能であり、それによりインクの蓄積及びマーキングをさらに減少させる。一体カバーは使い捨てであり、そのため移しシリンダ・カバーの定期的保守及びクリーニングが減少し、新しく設置するごとに新しくクリーンな被印刷物支持表面を提供する。可撓性ジャケット・カバー及びシリンダ・ベース・カバーは、１つの簡便なユニットに組み込まれ、それによって設置を迅速化かつ単純化する。
2006507140.tif 000002
【特許請求の範囲】
【請求項１】
輪転印刷機の移しシリンダの耐マーキング性一体カバーであって、
シリンダ・ベース・カバーに永久的に取り付ける可撓性ジャケット・カバーを備える一体カバー。
【請求項２】
可撓性ジャケット・カバー及びシリンダ・ベース・カバーが位置合わせされ、その縁に沿って永久的に取り付けられる、請求項１に記載の一体カバー。
【請求項３】
可撓性ジャケット・カバー及びシリンダ・ベース・カバーが、永久的に取り付ける手段によってその縁に沿って永久的に取り付けられる、請求項２に記載の一体カバー。
【請求項４】
永久的に取り付ける手段が、縫製、接着剤、機械的締め付け具及びその組合せを含む、請求項３に記載の一体カバー。
【請求項５】
シリンダ・ベース・カバーに永久的に取り付けることはない区域で、シリンダ・ベース・カバーに対して可撓性ジャケット・カバーの所定の動作量が許容されるよう、可撓性ジャケット・カバーのサイズを決定する、請求項３に記載の一体カバー。
【請求項６】
横方向の動作が約１／１６から４インチ（１．６〜１０１．６ｍｍ）であり、縦方向の動作が約１／３２から１インチ（０．８〜２５．４ｍｍ）である、請求項５に記載の一体カバー。
【請求項７】
シリンダ・ベース・カバーが導電性である、請求項１に記載の一体カバー。
【請求項８】
シリンダ・ベース・カバーが導電性である、請求項２に記載の一体カバー。
【請求項９】
シリンダ・ベース・カバーが導電性である、請求項５に記載の一体カバー。
【請求項１０】
導電性シリンダ・ベース・カバーがさらに、ポリエステルの層に接着したＰＴＦＥの層を備え、ＰＴＦＥの層が可撓性ジャケットに面する、請求項９に記載の一体カバー。
【請求項１１】
ＰＴＦＥ層が滑らかな表面部分を有する、請求項１０に記載の一体カバー。
【請求項１２】
ＰＴＦＥ層が織目付きの表面部分を有する、請求項１０に記載の一体カバー。
【請求項１３】
さらに、少なくとも１つの穴を備える、請求項１０に記載の一体カバー。
【請求項１４】
可撓性ジャケット・カバーが、隔置された導電性ストランドを有する可撓性ファブリック材料を備える、請求項１に記載の一体カバー。
【請求項１５】
可撓性ジャケット・カバーが、隔置された導電性ストランドを有する可撓性ファブリック材料を備える、請求項２に記載の一体カバー。
【請求項１６】
可撓性ジャケット・カバーが、隔置された導電性ストランドを有する可撓性ファブリック材料を備える、請求項５に記載の一体カバー。
【請求項１７】
可撓性ジャケット・カバーが、隔置された導電性ストランドを有する可撓性ファブリック材料を備える、請求項１０に記載の一体カバー。
【請求項１８】
さらに、一体カバーを移しシリンダに着脱式に取り付ける手段を備える、請求項１に記載の一体カバー。
【請求項１９】
さらに、一体カバーを移しシリンダに着脱式に取り付ける手段を備える、請求項２に記載の一体カバー。
【請求項２０】
さらに、一体カバーを移しシリンダに着脱式に取り付ける手段を備える、請求項５に記載の一体カバー。
【請求項２１】
さらに、一体カバーを移しシリンダに着脱式に取り付ける手段を備える、請求項１７に記載の一体カバー。
【請求項２２】
着脱式に取り付ける手段が、接着剤、クランプ、機械的締め付け具、巻き上げリール、フック及びループ締め付け具、磁気細片、タック細片、及びその組合せを含む、請求項２１に記載の一体カバー。
【請求項２３】
さらに、移しシリンダに取り付けるために一体カバーを位置合わせする手段を備える、請求項１に記載の一体カバー。
【請求項２４】
さらに、移しシリンダに取り付けるために一体カバーを位置合わせする手段を備える、請求項２に記載の一体カバー。
【請求項２５】
さらに、移しシリンダに取り付けるために一体カバーを位置合わせする手段を備える、請求項５に記載の一体カバー。
【請求項２６】
さらに、移しシリンダに取り付けるために一体カバーを位置合わせする手段を備える、請求項２１に記載の一体カバー。
【請求項２７】
位置合わせ手段が、可撓性ジャケット・カバーの対照的な位置合わせストライプである、請求項２６に記載の一体カバー。
【請求項２８】
位置合わせ手段がさらに、把持器側縁、後縁、又は両方にある少なくとも１つの中心位置合わせマークを備える、請求項２７に記載の一体カバー。
【請求項２９】
対照的な位置合わせストライプが導電性ストランドである、請求項２７に記載の一体カバー。
【請求項３０】
輪転印刷機の移しシリンダの耐マーキング性一体カバーを製造する方法であって、可撓性ジャケット・カバーをシリンダ・ベース・カバーに永久的に取り付けることを含む方法。
【請求項３１】
可撓性ジャケット・カバーがシリンダ・ベース・カバーとほぼ同じ形状であり、可撓性ジャケット及びシリンダ・ベース・カバーが位置合わせされ、その縁に沿って永久的に取り付けられる、請求項３０に記載の方法。
【請求項３２】
可撓性ジャケット・カバー及びシリンダ・ベース・カバーが、縫製、接着剤、機械的締め付け具、又はその組合せによってその縁に沿って永久的に取り付けられる、請求項３１に記載の方法。
【請求項３３】
シリンダ・ベース・カバーに永久的に取り付けることはない区域で、シリンダ・ベース・カバーに対して可撓性ジャケット・カバーの所定の動作量が許容されるよう、可撓性ジャケット・カバーのサイズを決定する、請求項３２に記載の方法。
【請求項３４】
横方向の動作が約１／１６から４インチ（１．６〜１０１．６ｍｍ）であり、縦方向の動作が約１／３２から１インチ（０．８〜２５．４ｍｍ）である、請求項３３に記載の方法。
【請求項３５】
輪転印刷機の移しシリンダに耐マーキング性一体カバーを取り付ける方法であって、シリンダ・ベース・カバーに永久的に取り付けた可撓性ジャケット・カバーを備える一体カバーを供給することと、着脱式に取り付ける手段を使用して、一体カバーを移しシリンダに着脱式に取り付けることとを含む方法。
【請求項３６】
印刷機が少なくとも４つの色を有し、Ｋｏｍｏｒｉ社によって製造され、着脱式に取り付ける手段が巻き上げリールを備える、請求項３５に記載の方法。
【請求項３７】
輪転印刷機内で処理済み被印刷物を支持する方法であって、シリンダ・ベース・カバーに永久的に取り付けた可撓性ジャケット・カバーを備える耐マーキング性一体カバーを供給することと、着脱式に取り付ける手段を使用して、一体カバーを移しシリンダに着脱式に取り付けることと、被印刷物を処理するために印刷機を動作させることとを含み、被印刷物が、印刷機の動作中に一体カバーによって維持される方法。
【発明の詳細な説明】
【技術分野】
【０００１】
本発明は、印刷機内で印刷したての被印刷物材料のマーキング及び汚れを削減する装置、及びそれを作成し、使用する方法に関する。
【背景技術】
【０００２】
輪転オフセット印刷機の動作時には、枚葉紙又はウェブ材料などの印刷したての被印刷物を、移しシリンダなどによって１つの印刷ユニットから別の印刷ユニットへと案内し、次にそれぞれ枚葉紙スタッカ又は折り／切断ユニットへと送出する。本明細書では、「移しシリンダ」という用語は、送出シリンダ、移しローラ、支持ローラ、支持シリンダ、送出ホィール、スケルトン・ホィール、セグメント式ホィール、移しドラム、支持ドラム、スパイダ・ホィール、支持ホィール、案内ホィール、案内ローラなどを含む。印刷したての被印刷物を移す際に固有のインクのマーキングは長年の問題であった。米国特許第３，７９１，６４４号、「Ｍｅｔｈｏｄ  ａｎｄ  Ａｐｐａｒａｔｕｓ  ｆｏｒ  Ｈａｎｄｌｉｎｇ  Ｐｒｉｎｔｅｄ  Ｓｕｂｓｔｒａｔｅ  Ｍａｔｅｒｉａｌ」と題した米国特許第４，４０２，２６７、それぞれ「Ａｎｔｉ−Ｓｔａｔｉｃ，Ａｎｔｉ−Ｓｍｅａｒｉｎｇ  Ｐｒｅ−Ｓｔｒｅｔｃｈｅｄ  ａｎｄ  Ｐｒｅｓｓｅｄ  Ｆｌａｔ，Ｐｒｅｃｉｓｉｏｎ−Ｃｕｔ  Ｓｔｒｉｐｅｄ  Ｆｌｅｘｉｂｌｅ  Ｃｏｖｅｒｉｎｇｓ  ｆｏｒ  Ｔｒａｎｓｆｅｒ  Ｃｙｌｉｎｄｅｒｓ」と題した米国特許第６，２４４，１７８号及び第５，９０７，９９８号、それぞれ「Ｍｅｔｈｏｄ  ａｎｄ  Ａｐｐａｒａｔｕｓ  ｆｏｒ  Ｈａｎｄｌｉｎｇ  Ｐｒｉｎｔｅｄ  Ｓｈｅｅｔ  Ｍａｔｅｒｉａｌ」と題した米国特許第６，１１９，５９７号、第５，６０３，２６４号、第６，０７３，５５６号及び第５，５１１，４８０号、「Ｍｅｔｈｏｄ  ａｎｄ  Ａｐｐａｒａｔｕｓ  ｆｏｒ  Ｈａｎｄｌｉｎｇ  Ｐｒｉｎｔｅｄ  Ｓｈｅｅｔ  Ｍａｔｅｒｉａｌ」と題した米国特許第６，１９２，８００号、及び「Ｅｎｖｉｒｏｎｍｅｎｔａｌｌｙ  Ｓａｆｅ，Ｉｎｋ  Ｒｅｐｅｌｌｅｎｔ，Ａｎｔｉ−Ｍａｒｋｉｎｇ  Ｆｌｅｘｉｂｌｅ  Ｊａｃｋｅｔ  Ｃｏｖｅｒｉｎｇ  Ｈａｖｉｎｇ  Ａｌｉｇｎｍｅｎｔ  Ｓｔｒｉｐｅｓ，Ｃｅｎｔｅｒｉｎｇ  Ｍａｒｋｓ  ａｎｄ  Ｐｒｅ−Ｆａｂｒｉｃａｔｅｄ  Ｒｅｉｎｆｏｒｃｅｍｅｎｔ  Ｓｔｒｉｐｓ  ｆｏｒ  Ａｔｔａｃｈｍｅｎｔ  ｏｎｔｏ  Ｔｒａｎｓｆｅｒ  Ｃｙｌｉｎｄｅｒｓ  ｉｎ  ａ  Ｐｒｉｎｔｉｎｇ  Ｐｒｅｓｓ」と題した米国特許第５，９７９，３２２号は、それぞれ参照により全体として本明細書に組み込まれる。
【発明の開示】
【発明が解決しようとする課題】
【０００３】
本発明は、このようなマーキングの問題を低減するか解消し、安価かつ洗浄不要で、使い捨てで、設置が容易な移しシリンダ・カバーを提供することにより、最新技術を前進させる。
【課題を解決するための手段】
【０００４】
本発明は、輪転印刷機の移しシリンダの耐マーキング性一体カバーで、シリンダのベース・カバーに永久的に取り付けた可撓性ジャケット・カバーを備える。実施形態では、可撓性ジャケット・カバー及びシリンダのベース・カバーは位置合わせされ、その縁に沿って縫合、接着、機械的締め付け具、及びその組合せなどの永久的に取り付ける手段によって永久的に取り付ける。別の実施形態では、可撓性ジャケット・カバーは、シリンダ・ベース・カバーに永久的に取り付けられていない区域では、シリンダ・ベース・カバーに対して可撓性ジャケット・カバーの所定量の動作が許されるようなサイズにされる。別の実施形態では、シリンダ・ベース・カバーは、滑らか、表面模様付き、有孔性、又はその組合せでよい。別の実施形態では、可撓性ジャケット・カバー、シリンダ・ベース・カバー、又はその両方が導電性である。別の実施形態では、一体カバーはさらに、一体カバーを移しシリンダに着脱式に取り付ける手段、移しシリンダに取り付けるために一体カバーを位置合わせする手段、対照的な位置合わせストライプ、又はその組合せを備えることができる。本発明は、耐マーキング性一体カバーを輪転印刷機の移しシリンダに取り付けて、処理した被印刷物を輪転印刷機内で支持する、移しシリンダの耐マーキング性一体カバーを製造する方法も含む。
【実施例】
【０００５】
図１Ａは、輪転印刷機の移しシリンダの耐マーキング性一体カバー１００を示し、これはシリンダ・ベース・カバー１０２に永久的に取り付けた可撓性ジャケット・カバー１０５を備え、シリンダ・ベース・カバーはさらに基層１１０及び１つ又は複数の仕上げ層１４２を備えることが好ましい。本明細書では、「永久的に取り付ける」という言葉は、可撓性ジャケット・カバー及びシリンダ・ベース・カバーが、このように取り付けた場合に一方又は他方を損傷することなく分離することがない、という意味である。永久的取り付けの試験により、一体カバーに、人が加える分離力を与える。より詳しくは一体カバーの可撓性ジャケット・カバー部分を片手で保持し、他方の手でベース・カバー部分を保持して、２つの部分を反対方向に引っ張る。図１Ａ及び図４を参照すると、シリンダ・ベース・カバー１０２は、移しシリンダと接触する下面１２６、及び上面１２８を有する。図１Ａ及び図３を参照すると、可撓性ジャケット・カバーは、シリンダ・ベース・カバー１０２の上面１２８と接触している下面１３０、及び処理した被印刷物と接触するために上面１３２を有する。一体カバー１００、及び同様に可撓性ジャケット・カバー１０５及びシリンダ・ベース・カバー１０２はそれぞれ、ギア側縁１１２に対向するオペレータ側縁１１４、及び後縁１１８に対向する把持器側縁１１６を有する。矢印１２０は、横方向（横断方向又は横糸方向とも呼ぶ）を示し、矢印１２２は縦方向（機械方向とも呼ぶ）を示す。一体カバー１００及びその構成要素の個々の縁及び横方向及び縦方向を、図１Ｂ及び図１Ｃでさらに詳細に示す。一体カバーは、様々なサイズ及び形状で生産することができ、これは多種多様な市販の移しシリンダの寸法に対応することが多い。一体カバーは通常、長方形の形状で、縦方向の長さが横方向の長さより長い。
【０００６】
可撓性ジャケット・カバーは、ａ）取り付けた表面、ｂ）取り付けに使用する手段、ｃ）取り付け範囲、及びｄ）ジャケット／カバーのサイズ、形状及び位置合わせを含む個別の変数から選択し、組み合わせた種々の構成で、シリンダ・ベース・カバーに永久的に取り付けることができる。一体カバーは、全体を一体形成する（例えば４つの縁全部で可撓性ジャケット・カバーをシリンダ・ベース・カバーに面一で位置合わせし、ほぼ４つの縁全部の全長に沿って縫製する）か、様々な位置で異なってよい（例えば、ほぼ把持器側縁の全長に沿って可撓性ジャケット・カバーをシリンダ・ベース・カバーに面一で位置合わせして、縫製し、ほぼ後側縁の全長に沿ってベース・カバーの下面に巻き付けて、接着し、歯車側縁及びオペレータ側縁で離れている）。
【０００７】
取り付けた表面に関して、可撓性ジャケット・カバー及びシリンダ・ベース・カバーは、好ましくはその縁に沿って、より好ましくは縁１１２、１１４、１１６及び１１８から選択した少なくとも２つの対向する縁に沿って、最も好ましくは縁１１２、１１４、１１６及び１１８の４つ全てに沿って永久的に取り付ける。永久的に取り付ける縁が４つの縁全部ではない場合、永久的には取り付けない縁は、一体カバーの設置後に、移しシリンダ及び／又は印刷機の動作を妨害することがない限り、離れたままにするか、着脱式に取り付けてよい。１つ又は２つの縁を永久的には取り付けない場合、このような縁は、オペレータ側縁１１４、ギア側縁１１２、又はその両方から選択することが好ましい。１つの縁しか永久的に取り付けない場合、このような縁は、把持器側縁１１６又は後縁１１８であることが好ましく、把持器側縁１１６であることが最も好ましい。代替実施形態では、可撓性ジャケット・カバー及びシリンダ・ベース・カバーは、その隅で、離れた縁又は着脱式に取り付けた縁の残りの部分に永久的に取り付ける。少なくとも２つの隅を永久的に取り付けることが好ましく、４つの隅全部を永久的に取り付けることが、より好ましい。２つの隅しか永久的に取り付けない場合、２つの隅が後縁で終了することが好ましく、２つの隅が把持器側縁で終了することが最も好ましい。
【０００８】
永久的に取り付ける手段が、移しシリンダの一体カバーの設置又はその操作を妨害しないよう構成されていれば、接着剤、縫製、締め付け具など、可撓性ジャケット・カバーをシリンダ・ベース・カバーに永久的に取り付ける適切な手段を使用してよい。永久的に取り付ける手段は、可撓性ジャケット・カバー、ベース・カバー、又は両方と一体であるか（例えばベース・カバーと共同生産され、一体である永久接着部、又は可撓性ジャケット・カバー又はベース・カバー上にオス端部を、他方に受けるメス端部を有する一体締め付け部）、可撓性ジャケット・カバー又はベース・カバーの一方又は両方に適用した接着層又は細片などの追加層であるか、縁に沿った縫製又はかしめなど、可撓性ジャケット・カバー及びベース・カバーを保持する機械的連結部であってよい。可撓性ジャケット・カバー及びベース・カバー材料と適合性があり、その間に永久的結合部を形成する任意の適切な接着部を使用することができる。好ましい接着部は、３Ｍ社から入手可能なＴｈｅｒｍｏ−Ｂｏｎｄ  Ｆｉｌｍ  ６６９などの熱硬化性テープであり、これは一方側を加熱活性化接着剤で、他方側を高粘着力の感圧性接着剤で被覆したポリエステル・フィルム芯の３層結合テープである。熱硬化性テープは通常、約１／４から５／８インチ（６．４〜１５．９ｍｍ）の幅である。可撓性ジャケット・カバーをベース・カバーに縫合することができ、一実施形態では、熱硬化性テープと組み合わせる。可撓性ジャケット・カバー及びベース・カバー材料と適合性があり、その間に永久的取り付け部を形成する任意の適切な糸と縫い目のパターンを使用することができる。好ましい糸は、約２５から６０デニールのナイロン又は綿の糸であり、好ましい縫い目は、相互に平行な１列又は複数列のチェーン・ステッチを含む。無頭釘、リベット、クリンプ、接着剤、又は張力条片（つまり縁を受け、クリンプ、接着剤、張力、又はその組合せでこれを保持するために、対向して通路を形成する側部を有する薄い条片）、ステープルなどの機械的締め付け具を使用することができる。このような締め付け具は、プラスチック、金属、ファブリック、又はその組合せなどの適切な材料から作成することができ、移しシリンダ上への一体カバーの設置又はその動作を妨害しないよう、薄く、可撓性であることが好ましい。
【０００９】
取り付けの範囲、つまり相互に永久的に取り付けたベース・シリンダ・カバーの上面１２８と可撓性ジャケット・カバーの下面１３０との間の表面積の（取り付けた表面の長さと幅とによって定義されるような）合計量又はパーセンテージは、相互に永久的に接着しない区域で、ベース・カバーに対して可撓性ジャケット・カバーを移動させ、印刷作業中に処理済み被印刷物の効果的な耐マーキング性の支持及び移しを提供することができるよう選択する。シリンダ・ベース・カバーに対する可撓性ジャケット・カバーの移動量は、可撓性ジャケット・カバーに加える軽量で滑らかな手の圧力に応答して、横方向では約１／１６から４インチ（１．６〜１０１．６ｍｍ）、縦方向では約１／３２から１インチ（０．８〜２５．４ｍｍ）であることが好ましい。一体カバー１００は、可撓性ジャケット・カバーが移しシリンダ表面上で周方向、さらには長手方向に厳格にセンタリングされるよう、操作位置にて、シリンダ把持器側端部とシリンダ後端部で同様の軸方向遊びＫがある状態で取り付けることが好ましい。可撓性ジャケット・カバー及びシリンダ・ベース・カバーは、好ましくは取り付けた各表面のほぼ全長に沿って、より好ましくは少なくとも２つの対向する縁のほぼ全長に沿って、最も好ましくは縁１１２、１１４、１１６及び１１８の４つ全部のほぼ全長に沿って永久的に取り付ける。ほぼ全長に沿って永久的に取り付けることは、連続的で中断しない接続（例えば縁の全長に延びる長さの接着テープ又は縫製）、さらに間隔をあけた断続的接続（例えば隔置したステープル、縫製、又は接着剤のドット）を含む。取り付けた表面、特に取り付けた端表面の幅は、好ましくは約１インチ（２５．４ｍｍ）以下、より好ましくは約０．５インチ（１２．７ｍｍ）以下、最も好ましくは約０．２５インチ（６．４ｍｍ）以下である。
【００１０】
可撓性ジャケット・カバー及びシリンダ・ベース・カバーは、可撓性ジャケット・カバー及びベース・カバーがわずかに上に重なるか、わずかに下に重なる、折り重なる（つまり巻き付ける）、又は各縁に沿って別個にほぼ面一になる、つまり各縁が同じ又は異なるアライメント（さらに、前述したように、同じ又は異なる永久的取り付け手段、取り付け範囲、取り付けた表面など）を有するようなサイズ、形状にし、位置合わせすることができる。さらに、可撓性ジャケット・カバー及びシリンダ・ベース・カバーは、前述した相互の相対的移動を提供し、特に移しシリンダに一体カバーを設置した後の可撓性ジャケット・カバーの締め付けを（及びその結果生じる特に横方向での相対的移動の減少）を考慮するようサイズ、形状にし、位置合わせする。可撓性ジャケット・カバー及びシリンダ・ベース・カバーは、好ましくはほぼ同じ形状であり、より好ましくは前述した長方形の形状である。
【００１１】
線２−２に沿って横方向に切り取った一体ベース・カバー１００の断面図である図２Ａから図２Ｃを参照すると、可撓性ジャケット・カバー１０５をシリンダ・ベース・カバー１０２に取り付けるための位置合わせ及び永久的取り付け手段の様々な代替構成が図示されている。図２Ａを参照すると、把持器側縁１１６及び後縁１１８は、均一に構築され、可撓性ジャケット・カバー及びシリンダ・ベース・カバーの個々の対応する縁が（点線１３５で示すように）面一で位置合わせされ、熱硬化性テープ１３６及び１列の縫製１３８で各縁のほぼ全長に沿って永久的に取り付けられる。縫製部は、熱硬化性テープの幅内に位置することが好ましく、熱硬化性テープの幅の中心にあることがさらに好ましい。図２Ｂを参照すると、把持器側縁１１６及び後縁１１８は均一に構築され、可撓性ジャケット・カバーに縁は、シリンダ・ベース・カバーの対応する縁の上に折り畳まれ、その下面１２６へと延在する。可撓性ジャケット・カバー及びシリンダ・ベース・カバーの縁１１６及び１１８は、１列の縫製部１３８によってほぼその全長に沿って永久的に取り付けられる。図２Ｃを参照すると、把持器側縁１１６及び後縁１１８は異なる方法で構築され、可撓性ジャケット・カバー及びシリンダ・ベース・カバーの縁は、把持器側縁１１６で面一であり、可撓性ジャケット・カバーは後縁１１８でわずかに下に重なる。可撓性ジャケット・カバー及びシリンダ・ベース・カバーの縁１１６及び１１８は、後縁１１８の１列の縫製部１３８及び把持器側縁１１６の２列の縫製部１３８によって、ほぼその全長に沿って永久的に取り付けられる。図２Ａから図２Ｃの実施形態は例示的であり、本明細書の記述に基づき、当業者には他の代替構成が容易に明白である。
【００１２】
可撓性ジャケット・カバーは、シリンダ・ベース・カバーに永久的に取り付けて、印刷作業中に処理済み被印刷物の効果的で耐マーキング性の支持及び移しを提供するために適切な任意の材料から作成することができる。可撓性ジャケット・カバーは、ファブリック、例えば木綿、麻、絹、亜麻などの天然材料、又はナイロン、レーヨン、ポリエステル、ポリアクリレート、ポリオレフィン、ポリイミド、ポリアミドなどの合成材料を備えることができる。ファブリックは織物又は不織布でよく、好ましいファブリックは約４０目でおよそ縦糸２８本×横糸３２本の織り方を有するガーゼ又はチーズクロスなどの緩やかに織った木綿材料である。可撓性ジャケット・カバーは、ファブリック柔軟剤、ファブリック防護剤、帯電防止剤などで処理して、自身上へのインクの蓄積を軽減するのに役立てることができる。好ましいファブリック処理は、３Ｍ社から入手可能なＳｃｏｔｃｈｇｕａｒｄである。好ましい実施形態では、可撓性ジャケット・カバーは導電性である。本明細書では、導電性という用語は、材料が接地した物体との接触を通じて電荷を散逸可能である、例えば印刷した被印刷物からシリンダ・ベース・カバー及び／又は移しシリンダへ、さらに接地した印刷機フレームへと電荷を通すという意味である。常温（７０°Ｆ；２１℃）での好ましい導電性材料の抵抗率は、１０−２オーム−センチメートルから１０９オーム−センチメートルの範囲であり、これは金属の抵抗率と絶縁体の抵抗率との間である。可撓性ジャケットは、例えば導電性手段で処理するか、横方向及び／又は縦方向で隔置した１つ又は複数の導電性ストランド又は糸を織り込むことにより、導電性にすることができる。図３で示す可撓性ジャケット・カバー１０５の実施形態では、２１０及び２１２で指定された導電性ストランドが縦方向に通る。
【００１３】
１つの実施形態では、ストランド又は糸の導電性は、アンモニア塩、ポリグリセロールエステル及びソルビタンエステルを含むグループから選択した帯電防止イオン・ポリマー化合物の水溶液でストランド又は糸を含浸するか、他の方法で処理することによって獲得される。つまり、可撓性ジャケット・カバー１０５は、帯電防止イオン・ポリマー化合物の水溶液に可撓性ジャケット・カバーを浸すか、帯電防止イオン・ポリマー化合物を可撓性ジャケット・カバーに噴霧するか、織る前に水性帯電防止イオン化合物で糸又はストランドを含浸することにより処理する。別の実施形態では、各ストランドに導電性フルオロポリマー樹脂コーティングを適用することにより、ストランドを導電性にする。別の実施形態では、可撓性ジャケット・カバーは、天然の糸、ストランド又は繊維で全体を構築し、ポリアクリル酸ポリマー及びポリアンモニアポリマーを含むグループから選択したイオン・ポリマーで織った材料を含浸して導電性にすることができる。別の実施形態では、例えば裸銅フィラメントなどの導電性金属線の少なくとも１本又は複数のストランドを形成することにより、可撓性ジャケット・カバーを導電性にすることができる。前記で検討したように、可撓性ジャケット・カバーの導電性要素は、可撓性ジャケット・カバーの本体全体に均一に分布することが好ましい。
【００１４】
実施形態では、滑らかにする手の圧力によって可撓性ジャケット・カバーに加えられる張力に応答して、ジャケット・カバーに加えた滑らかにする軽い手の圧力によって誘発された張力に応答して、弾性回復率が弛緩した長さの約２パーセント（２％）未満である状態で伸張にほぼ抵抗するよう、ファブリック材料を予め伸張する。可撓性ファブリック材料は（１インチ×６インチのサンプルで）横方向では約６パーセント（６％）を超えず、約７パーセント（７％）の伸張で横糸に破損が生じ、縦方向での伸張では約１１パーセント（１１％）を超えず、約１２パーセント（１２％）の伸張で縦糸に破損が生じるＡＳＴＭ強度及び伸張率を有することが好ましい。
【００１５】
実施形態では、一体カバーは、移しシリンダに取り付けるために一体カバーを位置合わせする手段を備える。図３を参照すると、可撓性ジャケット・カバーは、可撓性ジャケット・カバーを移しシリンダの把持器側縁及び後縁上に簡単かつ精密に固定し、それと位置合わせするために、１つ又は複数のアライメント・ストライプ２１０及び２１２、及び１つ又は複数の中心アライメント・マーク２２０を含むことができる。中心アライメント・マーク２２０は、把持器側縁１１６、後縁１１８、又は両方の中心に配置することが好ましい。少なくとも１つの縦糸ストランド２１０が、残りの織物の色とは対照的な色を有し、それによって少なくとも１本の対照的なストライプを画定することが好ましい。例えば、複数の黒いストランド２１０及び２１２を織り合わせ、それによって可撓性ジャケット・カバー１０５の少なくとも把持器側縁及び後縁で黒いアライメント・ストライプ２１０及び２１２を画定することができる。複数の対照的なストライプ２１０及び２１２（縦方向に通る）は、可撓性ジャケット・カバーの全長にわたって横方向に隔置することが好ましい。実施形態では、対照的なアライメント・ストライプの一部又は全部を、前述したように導電性にする。青などの別の対照的な色を有するストランド又は糸も織り合わせて、格子パターン２１４を有する青い背景フィールドを画定する。さらに、黒いアライメント・ストライプ２１０及び２１２は、好ましくは移しシリンダの把持器側縁及び後縁における可撓性ジャケット・カバーの移動又は縦方向遊びの量に対応する距離Ｋだけ、間隔距離だけ分離する。例示的実施形態の間隔距離Ｋは、約３／４インチ（１９．１ｍｍ）である。可撓性ジャケット・カバーとシリンダ・ベース・カバーとの望ましい相対的運動量に応じて、他の間隔距離を使用することができる。格子パターン２１４は、格子縞模様の設計であることが好ましいが、杉綾模様などの他の設計を都合良く使用することができる。図３の実施形態では、ストランドを長方形のグリッド格子パターンで織り、隣接するストランド間の間隔距離は、少なくとも隣接ストランドの直径の１０倍であり、それによって開放したグリッド・パターンを画定する。別の実施形態では、対照的なストライプを縦方向に単独で、又は横方向に通る対照的なストライプと組み合わせて設ける。別の実施形態では、アライメント・ストライプに複数の色（例えば黒いアライメント・ストライプが白いアライメント・ストライプと交互する）を使用することができる。対照的なストライプ及び中心アライメント・マークなど、一体カバーを位置合わせする手段を設けることは、移しシリンダ上に一体カバーを簡単に取り付け、位置合わせするために好ましいが、本発明を首尾良く実践するために厳密に必要ではないことが理解される。本発明の実践に有用な可撓性ジャケット・カバーの他の実施形態が、前記で言及した米国特許第５，９０７，９９８号、第５，９７９，３２２号、第６，１１９，５９７号、及び第６，２４４，１７８号で開示されている。
【００１６】
シリンダ・ベース・カバーは、可撓性ジャケット・カバーを永久的に取り付けて、移しシリンダと接触させ、着脱式に取り付けるために適切な任意の材料から作成することができる。シリンダ・ベース・カバーは、可撓性ジャケット・カバーと接触するために低摩擦性の上面１２８を有し、処理済み被印刷物及び／又は可撓性ジャケット・カバーから移しシリンダへと電荷を通すために導電性であることが好ましい。図４を参照すると、シリンダ・ベース・カバー１０２は、基層１１０（本明細書ではキャリア・シートとも呼ぶ）及び１つ又は複数の追加の仕上げ層１４２を備え、これは薄膜又はコーティングでよく、導電性化合物であることが好ましい。好ましい仕上げ層は、弗素化エチレンプロピレン（ＦＥＰ）樹脂又はポリテトラフルオロエチレン（ＰＴＦＥ）樹脂などのフルオロポリマーのコーティングであり、例えばＤｕＰｏｎｔ社からＴＥＦＬＯＮという商標で、及びＷｈｉｔｆｏｒｄ社からＸＹＬＡＮという商標で販売されている。フルオロポリマー樹脂はさらに、カーボンブラック、グラファイトなどの導電性材料を備えることが好ましい。低摩擦性の上面１２８は滑らかであるか、或いは可撓性ジャケット・カバーと接触する区域をさらに減少させるために、粗いか表面模様があってもよい。低摩擦性上面１２８は、裸の移しシリンダ支持表面の摩擦係数より小さい摩擦係数を有することが好ましい。摩擦係数は、上面１２８の半径方向に突出する表面部分によって、又はシリンダ・ベース・カバーに形成した開口又は穴によってさらに低下させることができ、これは可撓性ジャケット・カバーとシリンダ・ベース・カバーとの間で摩擦性係合の表面積を減少させる。半径方向に突出する表面部分は、織った材料の横及び／又は縦ストランド、節、ビード、及びその組合せによって提供することができる。
【００１７】
基層は、木綿、麻、羊毛、絹、亜麻などの天然材料及び／又は合成材料、例えばレーヨンなどのセルロース繊維、ナイロンなどの線状ポリアミド、ＭＹＬＡＲという商標名で販売されているポリエチレンテレフタレートなどの線状ポリエステル、ポリエチレン、ポリプロピレン又はエチレンプロピレン共重合体などの炭化水素又はハロゲン化炭化水素、ＫＥＶＬＡＲ及びＮＯＭＥＸの商標名で販売されているようなアラミド及びポリアラミド、及びアクリロニトリルブタジエンスチレン（ＡＢＳ）を含むことができる。これらの基層材料は、シート、薄膜、ウェブ（織物と不織布の両方）などでよく、低い摩擦係数の表面を有することが好ましく、基層材料を導電性にするために、カーボンブラック、グラファイトなどの導電性作用物質と混合してよい。好ましい実施形態では、基層は約０．００４から０．０２０インチ（０．１〜０．５ｍｍ）の仕上げ厚さを有する。基層材料は、任意選択で１つ又は複数の追加の層（つまり仕上げ層１４２）、例えばＰＴＦＥの層又はコーティングと組み合わせて使用してもよい。好ましい実施形態では、シリンダ・ベース・カバー１０２は、ＭＹＬＡＲを備えた基層１１０の積層品であり、ＰＴＦＥ及びカーボンブラックを備える仕上げ層１４２がこれに結合され、このような積層品は、Ｓｔ．Ｇｏｂａｉｎ社からＣＨＥＭＬＡＭ  ＲＬＰＲ４００という商標名で販売されている。
【００１８】
本発明の実践に有用なシリンダ・ベース・カバーの他の実施形態が、前記で言及した米国特許第５，５１１，４８０号、第５，６０３，２６４号、第６，０７３，５５６号、及び第６，１９２，８００号で開示されている。
【００１９】
本発明はさらに、輪転印刷機の移しシリンダの耐マーキング性一体カバーの製造方法で、可撓性ジャケット・カバーをシリンダ・ベース・カバーに永久的に取り付けることを含む方法を提供する。製造方法はさらに、本明細書で説明した実施形態から一体カバーを選択することと、それぞれが選択した一体カバーに適合する構造及び物理特性を有するシリンダ・ベース・カバー及び可撓性ジャケット・カバーを設けることと、本明細書で説明するように可撓性ジャケット・カバーをシリンダ・ベース・カバーに永久的に取り付ける手段を設けることと、選択した一体カバーに従うため、可撓性ジャケット・カバーとシリンダ・ベース・カバーとを位置合わせすることと、永久的に取り付ける手段で可撓性ジャケット・カバーをシリンダ・ベース・カバーに永久的に取り付けることとを含む。一体カバーは、任意選択で、サイズ決定のためにトリムするか、余分な材料を除去してもよい。永久的取り付けは、永久的取り付けのために選択した手段に従い、当業者に知られているように実行し、例えばミシンで縫合したり、高温グルー・ガン又は熱硬化性テープを加熱プレスと組み合わせて熱硬化性接着を設けたりする。可撓性ジャケット・カバー及びシリンダ・ベース・カバーは、予め切断し、予めサイズ決定して設けることが好ましいが、ただしいずれか又は両方は、（例えば材料のロールとして）塊の形態で設け、製造プロセス中にサイズ決定し、切断する。製造ステップは、自動化するか、手動で実行することができ、ステップのシーケンスは、本明細書で説明するように一体カバーの多数の構造的形状を提供するよう変更することができる。例えば、位置合わせステップ及び永久的取り付けステップは、各縁の組立と交互にすることができ、これは前述したようにシリンダ・ベース・カバーに対する可撓性ジャケット・カバーの運動量を制御する際に有用である。好ましい実施形態の製造方法を、以下の例で提供する。
【００２０】
例示的目的のために、本発明をシート状被印刷物の処理に関して説明する。しかし、本発明の原理はウェブ状被印刷物にも同等に適用可能であることが理解される。本発明の一体カバーは、例えばオフセット印刷などに使用するタイプの高速印刷機器と組み合わせて使用してもよい。図１３ＡはＨｅｉｄｅｌｂｅｒｇ  Ｄｒｕｃｋｍａｓｃｈｉｎｅｎ  Ａｋｔｉｅｎｇｅｓｅｌｌｓｃｈａｆｔが製造するタイプの典型的な４色オフセット印刷機、及び図１３ＢはＫｏｍｏｒｉ社から入手可能なＬｉｔｈｒｏｎｅ  Ｓｅｒｉｅｓの４色オフセット印刷機を示す。このような機器は、印刷したてのシートなどの処理済み被印刷物を印刷ユニット間で、及び印刷したシートを送出スタッカに送出した後に扱うために、１つ又は複数の移しシリンダ１０を含む。本発明の一体カバーは、１つ又は複数の、好ましくは全部の移しシリンダに設置する。本明細書では、「処理済み」という用語は、様々な印刷方法を指し、これは被印刷物の片側又は両側に適用することができ、水性インク、保護コーティング及び装飾的コーティングの適用を含む。「被印刷物」という用語は、シート状材料又はウェブ状材料を指す。
【００２１】
いずれの場合も、出願人の以前の米国特許第３，７９１，６４４号及び第４，４０２，２６７号を参照することができ、これは典型的なマルチステーション印刷機のシート支持シリンダの位置及び機能に関する詳細を開示している。言うまでもなく、本発明は任意の数の印刷ユニット又はステーションを有する従来の印刷機で使用してもよい。
【００２２】
移しシリンダ及び関連する印刷ユニットの把持器の機能及び動作は、多色シート供給印刷機の当業者にはよく知られていると考えられ、これ以上説明する必要はないが、圧胴がシートをブランケット胴に押し付ける機能を果たし、これがシートにインクを適用し、移しシリンダがシートを案内して、各シートの濡れた印刷側が移しシリンダの支持表面に面する状態で圧胴から離すことを注記しておく。各移しシリンダは、濡れた印刷側が移しシリンダの支持表面に面する状態で印刷したシートを支持するので、移しシリンダには、本明細書で説明するような一体カバーを設ける。一体カバーは、一体カバーを移しシリンダに着脱式に取り付ける手段によって、移しシリンダに着脱式に取り付けられる。実施形態では、一体カバーをフック及びループ（つまりＶＥＬＣＲＯ）締め付け具細片で移しシリンダのフランジに接続する。着脱式に取り付ける他の適切な手段には、クランプ、ねじなどの機械的締め付け具、機械的巻き上げリール又は他の任意の形態の機械的ロールアップ・バー（集合的にリール・シリンダと呼ぶことが多い）、両面接着テープなどの接着剤、タック細片、磁気細片などがある。一体カバーを設置すると、可撓性ジャケット・カバーは前述したようにシリンダ・ベース・カバーに対して移動可能である。
【００２３】
本発明の一体カバーは単純かつ安価で、以前の移しシリンダの耐マーキング性システムに対して利点があり、特にＴ−Ｙ用紙及び非粘着フィルムに対する利点を提供する。水分、洗浄及び／又はクリーニングは、それぞれが時間の経過とともに離層し、破損する原因となるので、Ｔ−Ｙ用紙及び非粘着フィルムの両方に有害であるが、本発明は、インクをはじく化学薬品を含む湿しシステムからの水分などの水分を可撓性ジャケット・カバー内に保持し、これが実際にインクの蓄積及びマーキングの防止に役立つ。これに対して、Ｔ−Ｙ用紙及び非粘着フィルムは移しシリンダに対して移動せず、その結果、印刷像がＴ−Ｙ用紙及び非粘着フィルムの全く同じ区域に当たり、インク蓄積の増加、水分の浸透、及びその結果としてのマーキングの問題につながる。一体カバーは使い捨てであり、そのために移しシリンダのカバーを定期的に保守する必要がなくなり、新しく設置するごとに可撓性ジャケット・カバー及びシリンダ・ベース・カバーの両方で新しいクリーンな被印刷物支持表面が提供され、それにより処理済み被印刷物のインクの蓄積及びその結果としてのマークを軽減／解消する。クリーニングによる作業者への健康及び安全性の危険、危険物の廃棄費用及び問題、及び移しシリンダ支持表面のクリーニングの労働力、印刷機の停止時間、無駄にした材料費が、本発明によって解消される。可撓性ジャケット・カバー及びシリンダ・ベース・カバーを、１つの簡便なユニットに組み込み、それによって個々に位置合わせし、取り付けて、トリムすべき構成要素の数を削減することにより、移しシリンダの設置を迅速化し、単純化する。一体カバーに任意選択の位置合わせ手段があると、設置がさらに単純かつ迅速になる。印刷機が多数の移しシリンダを有するとすると、定期的保守をなくし、設置を単純化して迅速化すると、印刷機の停止時間及び労働費を削減し、印刷機の停止に伴う規格外の印刷済み材料の量を減少させることにより、効率が大幅に上昇する。帯電防止の実施形態は、静電荷をなくし、その結果生じるインクの累積／堆積及び静電気による付着などの問題を解消することにより、被印刷物の取扱いを改善する。また、一体カバーは、他の耐マーキング性システムより、特に労働力、印刷機の停止時間及び無駄になる印刷材料の節約を考慮に入れた場合、印刷機オペレータによって費用削減の解決策を提供することが多い。このような利点は、以下の例の状況でさらに認識され、評価される。
【００２４】
「実施例」
以下は、特にＫｏｍｏｒｉ社が作成する４０インチのＬｉｔｈｒｏｎｅ  Ｓｅｒｉｅｓ印刷機に適合するよう設計された本発明による一体カバーの好ましい実施形態の製造例である。図１６を参照すると、４０目の織り（つまり縦方向で１インチ当たり２８本×横方向で１インチ当たり３２本の糸）で７０デニールの重量の木綿チーズクロスを備え、予め切断された可撓性ジャケット・カバー１０５を設けてある。予め切断した可撓性ジャケット・カバーは、縦方向に約４２インチ（１０６６．８ｍｍ）、横方向で約２６インチ（６６０．４ｍｍ）の寸法がある長方形で、厚さは約０．００７インチ（０．２ｍｍ）ある。チーズクロスは、青い横糸と縦糸のストランドを織り合わせたメッシュを備え、これは格子パターンを有する青い背景フィールドを画定する。チーズクロスはさらに、色が銀色で縦方向に通る複数の対照的な位置合わせストライプ２１０を備える。銀色の位置合わせストライプは、横方向に約３／４インチ（１９．１ｍｍ）隔置される。各位置合わせストライプは、ＤｕＰｏｎｔ社から入手可能なＮｅｇａｓｔａｔ静電気散逸ヤーンという１本の銀色の導電性糸を備える。Ｎｅｇａｓｔａｔ糸は、ポリエステル又はナイロンの保護外殻で覆われた３本の炭素繊維を備える７０デニールであることが好ましい。
【００２５】
ＰＴＦＥ及びカーボンブラックのコーティング１４２（つまり上面）で積層したＭｙｌａｒキャリア・シート１１０（つまり下面）を備え、予め切断したシリンダ・ベース・カバー１０２を用意するが、この積層品はＣＨＥＭＬＡＭ  ＲＬＰＲ４００として知られ、Ｓｔ．Ｇｏｂａｉｎ社から入手可能である。予め切断したシリンダ・ベース・カバーは、縦方向に約４２インチ（１０６６．８ｍｍ）、横方向に約２５インチ（６３５ｍｍ）の寸法で、厚さは約０．００４インチ（０．１）ｍｍである。Ｍｙｌａｒキャリア・シートは、透明で、ＰＴＦＥ／カーボンブラックのコーティングは黒色であり、したがってＭｙｌａｒ側（つまり下面）から見ると、積層品は反射性光沢を有する。
【００２６】
シリンダ・ベース・カバーを工作物に載せ、熱硬化性テープ１３６を上面に貼り付ける。熱硬化性テープは、一方側に感圧性接着剤の層があるテープの形態で、熱硬化性接着剤の細片を備え、感圧性接着剤は通常、着脱可能なライナー材料で保護され、熱硬化性テープは、３Ｍ社から入手可能なＴｈｅｒｍｏ−Ｂｏｎｄ  Ｆｉｌｍ  ６６９である。熱硬化性テープは通常、幅１／４インチ（６．４ｍｍ）のロールで提供され、（テープの厚さを考慮に入れて）ベース・カバーの縁寸法に適合する長さに切断され、このケースでは２本の４２インチ（１０６６．８ｍｍ）の細片と２本の２５インチ（６３５ｍｍ）の細片になる。保護ライナーを、熱硬化性テープの感圧側から外し、感圧側がシリンダ・ベース・カバーの上面に面する状態で、テープをシリンダ・ベース・カバーの各縁（つまり把持器側縁、後縁、オペレータ側縁、及びギア側縁）とほぼ面一にして適用する。次に、可撓性ジャケット・カバーを、１度に１つの縁ずつシリンダ・ベース・カバーに取り付ける。
【００２７】
可撓性ジャケット・カバーの底部がシリンダ・ベース・カバーの頂部と接触し、把持器側縁がほぼ面一で位置合わせされるよう、可撓性ジャケット・カバーをシリンダ・ベース・カバーに載せる。加熱機を使用して、可撓性ジャケット・カバーを把持器側縁で熱硬化性テープに接着する。シリンダ・ベース・カバーに対する可撓性ジャケット・カバーの動作が横方向で約３／４インチ（１９．１ｍｍ）（つまり隣接する２本の銀色位置合わせストライプ間の距離）になるよう、可撓性ジャケット・カバーを調節し、可撓性ジャケット・カバーを後縁上で面一にして熱硬化性テープに接着する。シリンダ・ベース・カバーに対する可撓性ジャケット・カバーの動作が、縦方向と横方向で均等に分布するよう、可撓性ジャケット・カバーをさらに調節し、可撓性ジャケット・カバーをオペレータ側縁及びギア側縁で面一にして熱硬化性テープに接着する。全ての縁で可撓性ジャケット・カバーを熱硬化性テープに接着した後、シリンダ・ベース・カバーに対する可撓性ジャケット・カバーの動作を再確認する。前述したような十分な動作がある場合は、可撓性ジャケット・カバーとシリンダ・ベース・カバーとの縁を、各縁の長さを通り、熱硬化性テープのほぼ中心（つまり各縁から約１／８インチ（３．２ｍｍ）内側）に位置する１列の縫い目１３８で相互に縫合する。必要に応じて縁をトリムして、余分な材料を除去し、面一の縁を提供する。熱硬化性テープをチーズクロス材料に接着すると、縁のほつれが防止され（つまりより簡単に設置するためのクリーンな縁を生成し）、縁が強化されて、縫い目の保持が向上し、縁が引き離される可能性が低下する。一体カバーの製造中に組み合わせる様々な構成要素の組立分解図を、図１６に示す。完成した一体カバーを図１７から図２３に示す。縁の構成を示す断面を図２Ａに示す。
【００２８】
本発明の好ましい実施形態を図示し、説明してきたが、本発明の精神及び教示から逸脱することなく、当業者はこれを改造することができる。本明細書で説明した実施形態は例示にすぎず、制限を意図するものではない。本明細書で開示した本発明の多くの変形、組合せ及び改造が可能であり、本発明の範囲に入る。したがって、保護範囲は、以上の説明に制限されず、請求の範囲で定義され、この範囲は、請求の範囲の主題と同等の全てを含む。
【図面の簡単な説明】
【００２９】
【図１Ａ】耐マーキング性一体カバーの斜視図である。
【図１Ｂ】平らに置いた耐マーキング性一体カバーの上面図である。
【図１Ｃ】移しシリンダ上への設置をシミュレートした湾曲位置にある耐マーキング性一体カバーの斜視図である。
【図２】図２Ａ、図２Ｂ、及び図２Ｃは、図１Ａの線２−２に沿って切り取った耐マーキング性一体カバーの断面図である。
【図３】可撓性ジャケット・カバーの斜視図である。
【図４】シリンダ・ベース・カバーの斜視図である。
【図１６】好ましい耐マーキング性一体カバーの組立分解図である。
【図１７】好ましい耐マーキング性一体カバーの斜視図である。
【図１８】好ましい耐マーキング性一体カバーの斜視図である。
【図１９】好ましい耐マーキング性一体カバーの斜視図である。
【図２０】好ましい耐マーキング性一体カバーの斜視図である。
【図２１】好ましい耐マーキング性一体カバーの斜視図である。
【図２２】好ましい耐マーキング性一体カバーの斜視図である。
【図１Ａ】
2006507140.tif 000003
【図１Ｂ】
2006507140.tif 000004
【図１Ｃ】
2006507140.tif 000005
【図２Ａ】
2006507140.tif 000006
【図２Ｂ】
2006507140.tif 000007
【図２Ｃ】
2006507140.tif 000008
【図３】
2006507140.tif 000009
【図４】
2006507140.tif 000010
【図１３Ｂ】
2006507140.tif 000011
【図１５Ｂ】
2006507140.tif 000012
【図１６】
2006507140.tif 000013
【図１７】
2006507140.tif 000014
【図１８】
2006507140.tif 000015
【図１９】
2006507140.tif 000016
【図２０】
2006507140.tif 000017
【図２１】
2006507140.tif 000018
【図２２】
2006507140.tif 000019
【図２３】
2006507140.tif 000020
【手続補正書】
【提出日】平成16年12月7日(2004.12.7)
【手続補正１】
【補正対象書類名】明細書
【補正対象項目名】０００２
【補正方法】変更
【補正の内容】
【０００２】
輪転オフセット印刷機の動作時には、枚葉紙又はウェブ材料などの印刷したての被印刷物を、移しシリンダなどによって１つの印刷ユニットから別の印刷ユニットへと案内し、次にそれぞれ枚葉紙スタッカ又は折り／切断ユニットへと送出する。本明細書では、「移しシリンダ」という用語は、送出シリンダ、移しローラ、支持ローラ、支持シリンダ、送出ホィール、スケルトン・ホィール、セグメント式ホィール、移しドラム、支持ドラム、スパイダ・ホィール、支持ホィール、案内ホィール、案内ローラなどを含む。印刷したての被印刷物を移す際に固有のインクのマーキングは長年の問題であり、様々な技術がこの問題に向けられた。たとえば、「Ｓｈｅｅｔ  Ｈａｎｄｌｉｎｇ  Ａｐｐａｒａｔｕｓと題した米国特許第３，７９１，６４４号、「Ｍｅｔｈｏｄ  ａｎｄ  Ａｐｐａｒａｔｕｓ  ｆｏｒ  Ｈａｎｄｌｉｎｇ  Ｐｒｉｎｔｅｄ  Ｓｕｂｓｔｒａｔｅ  Ｍａｔｅｒｉａｌ」と題した米国特許第４，４０２，２６７、それぞれ「Ａｎｔｉ−Ｓｔａｔｉｃ，Ａｎｔｉ−Ｓｍｅａｒｉｎｇ  Ｐｒｅ−Ｓｔｒｅｔｃｈｅｄ  ａｎｄ  Ｐｒｅｓｓｅｄ  Ｆｌａｔ，Ｐｒｅｃｉｓｉｏｎ−Ｃｕｔ  Ｓｔｒｉｐｅｄ  Ｆｌｅｘｉｂｌｅ  Ｃｏｖｅｒｉｎｇｓ  ｆｏｒ  Ｔｒａｎｓｆｅｒ  Ｃｙｌｉｎｄｅｒｓ」と題した米国特許第６，２４４，１７８号及び第５，９０７，９９８号、それぞれ「Ｍｅｔｈｏｄ  ａｎｄ  Ａｐｐａｒａｔｕｓ  ｆｏｒ  Ｈａｎｄｌｉｎｇ  Ｐｒｉｎｔｅｄ  Ｓｈｅｅｔ  Ｍａｔｅｒｉａｌ」と題した米国特許第６，１１９，５９７号、第５，６０３，２６４号、第６，０７３，５５６号及び第５，５１１，４８０号、「Ｍｅｔｈｏｄ  ａｎｄ  Ａｐｐａｒａｔｕｓ  ｆｏｒ  Ｈａｎｄｌｉｎｇ  Ｐｒｉｎｔｅｄ  Ｓｈｅｅｔ  Ｍａｔｅｒｉａｌ」と題した米国特許第６，１９２，８００号、及び「Ｅｎｖｉｒｏｎｍｅｎｔａｌｌｙ  Ｓａｆｅ，Ｉｎｋ  Ｒｅｐｅｌｌｅｎｔ，Ａｎｔｉ−Ｍａｒｋｉｎｇ  Ｆｌｅｘｉｂｌｅ  Ｊａｃｋｅｔ  Ｃｏｖｅｒｉｎｇ  Ｈａｖｉｎｇ  Ａｌｉｇｎｍｅｎｔ  Ｓｔｒｉｐｅｓ，Ｃｅｎｔｅｒｉｎｇ  Ｍａｒｋｓ  ａｎｄ  Ｐｒｅ−Ｆａｂｒｉｃａｔｅｄ  Ｒｅｉｎｆｏｒｃｅｍｅｎｔ  Ｓｔｒｉｐｓ  ｆｏｒ  Ａｔｔａｃｈｍｅｎｔ  ｏｎｔｏ  Ｔｒａｎｓｆｅｒ  Ｃｙｌｉｎｄｅｒｓ  ｉｎ  ａ  Ｐｒｉｎｔｉｎｇ  Ｐｒｅｓｓ」と題した米国特許第５，９７９，３２２号は、それぞれ参照により全体として本明細書に組み込まれる。
【手続補正２】
【補正対象書類名】明細書
【補正対象項目名】００２０
【補正方法】変更
【補正の内容】
【００２０】
例示的目的のために、本発明をシート状被印刷物の処理に関して説明する。しかし、本発明の原理はウェブ状被印刷物にも同等に適用可能であることが理解される。本発明の一体カバーは、例えばオフセット印刷などに使用するタイプの高速印刷機器と組み合わせて使用してもよい。適当な印刷機の例はＨｅｉｄｅｌｂｅｒｇ  Ｄｒｕｃｋｍａｓｃｈｉｎｅｎ  Ａｋｔｉｅｎｇｅｓｅｌｌｓｃｈａｆｔが製造するタイプの典型的な４色オフセット印刷機、及びＫｏｍｏｒｉ社から入手可能なＬｉｔｈｒｏｎｅ  Ｓｅｒｉｅｓの４色オフセット印刷機である。このような機器は、印刷したてのシートなどの処理済み被印刷物を印刷ユニット間で、及び印刷したシートを送出スタッカに送出した後に扱うために、１つ又は複数の移しシリンダ１０を含む。本発明の一体カバーは、１つ又は複数の、好ましくは全部の移しシリンダに設置する。本明細書では、「処理済み」という用語は、様々な印刷方法を指し、これは被印刷物の片側又は両側に適用することができ、水性インク、保護コーティング及び装飾的コーティングの適用を含む。「被印刷物」という用語は、シート状材料又はウェブ状材料を指す。
【手続補正３】
【補正対象書類名】明細書
【補正対象項目名】００２４
【補正方法】変更
【補正の内容】
【００２４】
「実施例」
以下は、特にＫｏｍｏｒｉ社が作成する４０インチ（１０１６．０ｍｍ）のＬｉｔｈｒｏｎｅ  Ｓｅｒｉｅｓ印刷機に適合するよう設計された本発明による一体カバーの好ましい実施形態の製造例である。図５を参照すると、４０目の織り（つまり縦方向で１インチ（２５．４ｍｍ）当たり２８本×横方向で１インチ（２５．４ｍｍ）当たり３２本の糸）で７０デニールの重量の木綿チーズクロスを備え、予め切断された可撓性ジャケット・カバー１０５を設けてある。予め切断した可撓性ジャケット・カバーは、縦方向に約４２インチ（１０６６．８ｍｍ）、横方向で約２６インチ（６６０．４ｍｍ）の寸法がある長方形で、厚さは約０．００７インチ（０．２ｍｍ）ある。チーズクロスは、青い横糸と縦糸のストランドを織り合わせたメッシュを備え、これは格子パターンを有する青い背景フィールドを画定する。チーズクロスはさらに、色が銀色で縦方向に通る複数の対照的な位置合わせストライプ２１０を備える。銀色の位置合わせストライプは、横方向に約３／４インチ（１９．１ｍｍ）隔置される。各位置合わせストライプは、ＤｕＰｏｎｔ社から入手可能なＮｅｇａｓｔａｔ静電気散逸ヤーンという１本の銀色の導電性糸を備える。Ｎｅｇａｓｔａｔ糸は、ポリエステル又はナイロンの保護外殻で覆われた３本の炭素繊維を備える７０デニールであることが好ましい。
【手続補正４】
【補正対象書類名】明細書
【補正対象項目名】００２７
【補正方法】変更
【補正の内容】
【００２７】
可撓性ジャケット・カバーの底部がシリンダ・ベース・カバーの頂部と接触し、把持器側縁がほぼ面一で位置合わせされるよう、可撓性ジャケット・カバーをシリンダ・ベース・カバーに載せる。加熱機を使用して、可撓性ジャケット・カバーを把持器側縁で熱硬化性テープに接着する。シリンダ・ベース・カバーに対する可撓性ジャケット・カバーの動作が横方向で約３／４インチ（１９．１ｍｍ）（つまり隣接する２本の銀色位置合わせストライプ間の距離）になるよう、可撓性ジャケット・カバーを調節し、可撓性ジャケット・カバーを後縁上で面一にして熱硬化性テープに接着する。シリンダ・ベース・カバーに対する可撓性ジャケット・カバーの動作が、縦方向と横方向で均等に分布するよう、可撓性ジャケット・カバーをさらに調節し、可撓性ジャケット・カバーをオペレータ側縁及びギア側縁で面一にして熱硬化性テープに接着する。全ての縁で可撓性ジャケット・カバーを熱硬化性テープに接着した後、シリンダ・ベース・カバーに対する可撓性ジャケット・カバーの動作を再確認する。前述したような十分な動作がある場合は、可撓性ジャケット・カバーとシリンダ・ベース・カバーとの縁を、各縁の長さを通り、熱硬化性テープのほぼ中心（つまり各縁から約１／８インチ（３．２ｍｍ）内側）に位置する１列の縫い目１３８で相互に縫合する。必要に応じて縁をトリムして、余分な材料を除去し、面一の縁を提供する。熱硬化性テープをチーズクロス材料に接着すると、縁のほつれが防止され（つまりより簡単に設置するためのクリーンな縁を生成し）、縁が強化されて、縫い目の保持が向上し、縁が引き離される可能性が低下する。一体カバーの製造中に組み合わせる様々な構成要素の組立分解図を、図５に示す。完成した一体カバーを図６から図１２に示す。縁の構成を示す断面を図２Ａに示す。
【手続補正５】
【補正対象書類名】明細書
【補正対象項目名】００２９
【補正方法】変更
【補正の内容】
【００２９】
【図１Ａ】耐マーキング性一体カバーの斜視図である。
【図１Ｂ】平らに置いた耐マーキング性一体カバーの上面図である。
【図１Ｃ】移しシリンダ上への設置をシミュレートした湾曲位置にある耐マーキング性一体カバーの斜視図である。
【図２】図２Ａ、図２Ｂ、及び図２Ｃは、図１Ａの線２−２に沿って切り取った耐マーキング性一体カバーの断面図である。
【図３】可撓性ジャケット・カバーの斜視図である。
【図４】シリンダ・ベース・カバーの斜視図である。
【図５】好ましい耐マーキング性一体カバーの組立分解図である。
【図６】好ましい耐マーキング性一体カバーの斜視図である。
【図７】好ましい耐マーキング性一体カバーの斜視図である。
【図８】好ましい耐マーキング性一体カバーの斜視図である。
【図９】好ましい耐マーキング性一体カバーの斜視図である。
【図１０】好ましい耐マーキング性一体カバーの斜視図である。
【図１１】好ましい耐マーキング性一体カバーの斜視図である。
【図１２】好ましい耐マーキング性一体カバーの斜視図である。
【手続補正６】
【補正対象書類名】図面
【補正対象項目名】全図
【補正方法】変更
【補正の内容】
【図１Ａ】
2006507140.tif 000021
【図１Ｂ】
2006507140.tif 000022
【図１Ｃ】
2006507140.tif 000023
【図２Ａ】
2006507140.tif 000024
【図２Ｂ】
2006507140.tif 000025
【図２Ｃ】
2006507140.tif 000026
【図３】
2006507140.tif 000027
【図４】
2006507140.tif 000028
【図５】
2006507140.tif 000029
【図６】
2006507140.tif 000030
【図７】
2006507140.tif 000031
【図８】
2006507140.tif 000032
【図９】
2006507140.tif 000033
【図１０】
2006507140.tif 000034
【図１１】
2006507140.tif 000035
【図１２】
2006507140.tif 000036
【国際調査報告】
2006507140.tif 000037
2006507140.tif 000038
2006507140.tif 000039